(57)【要約】【課題】  簡単かつ確実に取り付けることができると共に、製造が容易である密着シートを提供する。【解決手段】  密着シート１０が台形状の透明なシート本体１１と、このシート本体の裏面の外周の全周に固着している帯状の吸着シート１２とからなり、吸着シート１２は自動車のフロントガラスＧ１側に対向する側が複数の極小の凹部を形成している吸盤層を有しており、シート本体１１は吸着シート１２の吸盤層を介してフロントガラスＧ１に密着可能である。【選択図】        図１
2008189108.tif 000002
【特許請求の範囲】
【請求項１】
シート本体と、このシート本体の裏面に固着している帯状の吸着シートとを備えており、
上記吸着シートは被着体側に対向する側が複数の極小の凹部を形成している吸盤層を有しており、
上記シート本体は上記吸着シートの吸盤層を介して上記被着体に密着可能である
ことを特徴とする密着シート。
【請求項２】
吸着シートは、シート本体の裏面の外周の全周に配置されていることを特徴とする請求項１記載の密着シート。
【請求項３】
吸着シートは、シート本体の裏面の外周の全周に配置されていると共に、上記シート本体を横断するように配置されていることを特徴とする請求項１記載の密着シート。
【請求項４】
シート本体は線状材を格子状に配置していることを特徴とする請求項１乃至請求項３のいずれかに記載の密着シート。
【請求項５】
シート本体は耐寒部材で形成されていることを特徴とする請求項１乃至請求項４のいずれかに記載の密着シート。
【請求項６】
シート本体は被着体の全部又は主要部を覆うことができる大きさに形成されていることを特徴とする請求項１乃至請求項５のいずれかに記載の密着シート。
【請求項７】
被着体は自動車のフロントガラスであることを特徴とする請求項１乃至請求項６のいずれかに記載の密着シート。
【請求項８】
シート本体は目隠し機能を付与することができる部材で形成されていることを特徴とする請求項１乃至請求項６のいずれかに記載の密着シート。
【請求項９】
被着体は自動車のフロントガラスであって、シート本体はその裏面に結露防止用シートを固着してあり、この結露防止用シートの裏面に上記フロントガラスに吸着可能である吸着シートと同一構成の帯状の吸着シートを固着してあることを特徴とする請求項１乃至請求項６のいずれかに記載の密着シート。
【請求項１０】
被着体は自動車のフロントガラスであって、シート本体はその裏面であって吸着シートに囲まれる空間内に結露防止用シートを固着してあり、この結露防止用シートの裏面に上記フロントガラスに吸着可能である上記吸着シートと同一構成の帯状の吸着シートを固着してあることを特徴とする請求項２乃至請求項６のいずれかに記載の密着シート。
【請求項１１】
結露防止用シートの吸着シートはこの結露防止用の裏面の全周に配置されていることを特徴とする請求項９又は請求項１０に記載の密着シート。
【発明の詳細な説明】
【技術分野】
【０００１】
この発明は、自動車のフロントガラスの霜除けなどに用いる密着シートに関するものである。
【背景技術】
【０００２】
自動車のフロントガラスなどに霜が付着するのを避けるためのシート、用具又はカバーとして、例えば特開平８−１１８９６４号公報記載の「露・霜を防ぐ用具」、特開平８−１９７９５９号公報記載の「フロントガラス霜付防止シート」、特開平１１−３４６７３号公報記載の「フロントガラス霜除けシート」及び実開平７−１８９５１号公報記載の「自動車のフロント、リアーガラス等の霜、雪除けカバー」（以下それぞれ「従来例１」、「従来例２」、「従来例３」及び「従来例４」という。）が提案されている。
従来例１は、自動車のフロントガラスより一回り大きいビニールシートで構成され、このシートの上下両辺に縁に沿って棒状の磁石を埋め込んでいるものである。このシートの使用法はこれを自動車の屋根とボンネットの部分に固定して、フロントガラスに露・霜が付着することを防止する。
従来例２は、自動車のフロントガラスを覆う大きさのビニール又はゴムシートの裏面の四隅及びこれらの間の縁に吸盤を取り付けているものである。このシートの使用法はこれを自動車のフロントガラスの前面に吸盤を介して固定することにより、フロントガラスに霜が付着しないようにする。
従来例３は、シート本体が布入りのほぼ長方形に形成されたビニールシートであって、長手方向中央部の上辺近傍に吸着盤を取り付け、両側にも紐付きの吸着盤を設けているものである。このシートの使用法はこれを自動車のフロントガラスの前面の中央上部に吸着盤を止着し、ついで紐付き吸着盤の一方をドアから車内に引き入れてフロントガラスの内側又はボディに留め、他方をフロントガラスの内側などに留め、シートをフロントガラスに装着することによってフロントガラスの霜除けをする。
従来例４は、自動車のフロントガラス、リヤーのガラスより大き目のサイズの布又はビニールシートで構成され、このシートの外周に間隔を置いて複数の磁石を埋め込んでいるものであり、フロント、リヤーの霜や雪除けをする。
【特許文献１】特開平８−１１８９６４号公報
【特許文献２】特開平８−１９７９５９号公報
【特許文献３】特開平１１−３４６７３号公報
【特許文献４】実開平７−１８９５１号公報
【発明の開示】
【発明が解決しようとする課題】
【０００３】
吸盤（又は吸着盤）を使用する従来例２及び従来例３においては、寒冷地の厳しい自然環境下で使用するにはシートの装着手段として吸盤は必ずしも吸引力が十分ではなく、またある程度の吸引力を確保するには吸盤の大きさを確保する必要があるので、シートとフロントガラスとの間が吸盤の大きさ分だけ隙間が開いてしまい、この隙間に風が入りやすくなるため、強風によってシートが剥がれやすい課題があった。
マグネット（又は磁石）を使用する従来例１及び従来例４においては、その磁気力を利用するものであるが、従来例２及び従来例３と同様に強風によって剥がれやすい問題があった。
従来例１乃至従来例４において、吸盤（吸着盤）又はマグネット（磁石）はシートに簡単に装着できないのでシート製造に手間がかかる。
この発明の目的は、簡単かつ確実に取り付けることができると共に、製造が容易である密着シートを提供することにある。
【課題を解決するための手段】
【０００４】
この発明の第１の特徴は、シート本体と、このシート本体の裏面に固着している帯状の吸着シートとを備えており、上記吸着シートは被着体側に対向する側が複数の極小の凹部を形成している吸盤層を有しており、上記シート本体は上記吸着シートの吸盤層を介して上記被着体に密着可能であることにある。
この発明の第２の特徴は、第１の特徴を備えており、かつ吸着シートがシート本体の裏面の外周の全周（ほぼ全周を含む。）に配置されていることにある。
この発明の第３の特徴は、第１の特徴を備えており、かつ吸着シートがシート本体の裏面の外周の全周（ほぼ全周を含む。）に配置されていると共に、上記シート本体を横断するように配置されていることにある。
この発明の第４の特徴は、第１、第２又は第３の特徴を備えており、シート本体が線状材を格子状に配置していることにある。
この発明の第５の特徴は、第１乃至第４のいずれかの特徴を備えており、シート本体が耐寒部材で形成されていることにある。
この発明の第６の特徴は、第１乃至第５のいずれかの特徴を備えており、シート本体が被着体の全部又は主要部を覆うことができる大きさに形成されていることにある。
この発明の第７の特徴は、第１乃至第６のいずれかの特徴を備えており、被着体が自動車のフロントガラスであることにある。
この発明の第８の特徴は、第１乃至第６のいずれかの特徴を備えており、シート本体が目隠し機能を付与することができる部材で形成されていることにあり、密着シートが車のドアや住宅の窓などの開口部の目隠しシートとして有効である。
この発明の第９の特徴は、第１乃至第６のいずれかの特徴を備えており、被着体が自動車のフロントガラスであって、シート本体はその裏面に結露防止用シートを固着してあり、この結露防止用シートの裏面に上記フロントガラスに吸着可能である吸着シートと同一構成の帯状の吸着シートを固着してあることにあり、密着シートが寒冷地におけるフロントガラスへの霜、雪又は露除け用シートとして有効である。
この発明の第１０の特徴は、第２乃至第６のいずれかの特徴を備えており、被着体は自動車のフロントガラスであって、シート本体はその裏面であって吸着シートに囲まれる空間内に結露防止用シートを固着してあり、この結露防止用シートの裏面に上記フロントガラスに吸着可能である上記吸着シートと同一構成の帯状の吸着シートを固着してあることにあり、密着シートが寒冷地におけるフロントガラスへの霜、雪又は露除け用シートとして有効である。
この発明の第１１の特徴は、第９又は第１０の特徴を備えており、結露防止用シートの吸着シートはこの結露防止用の裏面の全周（ほぼ全周を含む。）に配置されていることにあり、密着シートが寒冷地におけるフロントガラスへの霜、雪又は露除け用シートとして有効である。
【発明の効果】
【０００５】
この発明によれば、吸着シートを介して被着体に密着可能であるから、安定した状態で密着シートの位置保持ができ、強風などによって剥がれ易い課題を解決することができ、密着シートの簡単かつ確実な取り付けが可能となり、そして着脱が容易であるから扱いがし易く、さらに製造が容易である。
【発明を実施するための最良の形態】
【０００６】
図１〜図４に示す密着シート１０は、シート本体１１と、このシート本体の裏面の複数個所に固着した帯状の吸着シート１２とを備えている。
【０００７】
図１及び図２において、シート本体１１はビニールなどの透明のプラスチックシートからなり、厚みは可撓性を有するために０．２〜１．０ｍｍ程度が望ましいが、必ずしもこの範囲に限定されない。後述するように、密着シート１０を霜よけシートに利用する場合には、材質として耐寒部材を用いる。
シート本体１１は、被着体である自動車のフロントガラスＧ１の形状に対応した形状し、かつフロントガラスを覆う大きさ、すなわちフロントガラスの全体又は主要部を覆う大きさに形成されており、図１に示す例では台形状にかつ主要部を覆っている。
【０００８】
吸着シート１２は、図１及び図２に示すようにシート本体１１の裏面の外周の全周に配置されている第１吸着シート１２ａと中央部に配置されている第２吸着シート１２ｂとからなる。
第１吸着シート１２ａは帯状の吸着シート片１２ａ１，１２ａ２，１２ａ３，１２ａ４，１２ａ５，１２ａ６，１２ａ７，１２ａ８を用いてシート本体１１の裏面の外周の全周にその縁に沿って固着されており、固着帯を形成している。各吸着シート片１２ａ１〜１２ａ８の固着手段として、両面接着テープなどが用いられる。
第２吸着シート１２ｂは帯状に形成されており、シート本体１１の裏面にこれの中央部を上下方向に横断するように配置されている。第２吸着シート１２ｂは、第１吸着シート１２ａによるシート本体１１の固定力を補強する役割を持っている。
吸着シート１２はフィルム状のプラスチックシートであって、図５に示すように上側が複数の極小の凹部１２１ａを有する吸盤層１２１となっている。この上側はフロントガラスＧ１（図１）側に対向する側である。吸着シート１２の厚みは、一方において吸盤層１２１により吸引力を維持するために大きくすることが望ましいが、他方において密着シート１０とフロントガラスＧ１との隙間をできるだけ狭くする必要から０．１〜０．２ｍｍ程度が良い。もっとも、吸着シート１２の厚みは、上記の範囲に限られない。吸着シート１２は本例では株式会社トクアオが販売している「ダイヤフィット」（商品名）を帯状にカットして使用している。
【０００９】
次に密着シート１０の使用方法を説明する。
密着シート１０を自動車のフロントガラスＧ１の霜除けシートとして用いる場合には、図１に示すように、密着シートの裏面をフロントガラスの前面に対応させてから、密着シートの取り付け位置が確定した段階で、上記裏面をフロントガラスの前面に押し付けると、吸着シート１２（第１吸着シート１２ａ及び第２吸着シート１２ｂ）はその吸盤層１２１（図５）が前面に接触され変形され、凹部１２１ａを介して吸着され、密着シートがフロントガラスに密着状態に保持される。
この結果、密着シート１０は自動車のフロントガラスＧ１の前面の主要部を覆うので、霜がフロントガラスに付着されることを防ぐ。
密着シート１０を自動車のフロントガラスＧ１から外すには、この密着シートをその後方（フロントガラスの前方）に強く引っ張れば、剥がれる。
【００１０】
図１に示す例によれば、被着体である自動車のフロントガラスＧ１に密着可能である密着シート１０は、密着手段として薄くかつ吸盤層１２１を有する吸着シート１２を用いている。このため、密着シート１０とフロントガラスＧ１との間の隙間を極めて狭くすることができるから、密着シートが強風などによって剥がれるという課題を解決することができ、そして上記吸着シート１２は密着シート１０に貼り付けることによって取り付けられるので孔加工など特別な取り付け手段が不要となるから、簡単かつ確実に取り付けることができ、さらに密着シートの着脱は吸着力を利用するために容易である。また密着シート１０とフロントガラスＧ１とは、互いの隙間が狭いために、密着シートがあたかもフロントガラスと一体となったような印象を受けるので、密着シートの取り付け状態のイメージが良くなり、夜間において密着シートの存在が確認しにくく、盗難防止などに効果があるものと推測される。
【００１１】
密着シート１０の他の形態について図６、図７及び図８〜図１１を参照して説明する。
図６に示す密着シート２０において、その構成の特徴は線状材２１ａを用いて耐寒性及び耐久性を強化しているところにあり、その他の構成は密着シート１０のそれと同一である。
そこで、密着シート２０の特徴を下記に説明するが、密着シート１０と共通する構成についての詳細な説明を省略する。
密着シート２０のシート本体２１にはプラスチックからなる線状材２１ａを埋め込んであり、図６に示す例では線状材２１ａを格子状にシート本体の全面に配置してある。シート本体２１はフィルムシートを積層してあり、線状材２１ａは両フィルムシート間に挟まれた状態でシールされている。
吸着シート２２の第１吸着シート２２ａ及び第２吸着シート２２ｂは、吸着シート１２の第１吸着シート１２ａ及び第２吸着シート１２ｂにそれぞれ対応している。
密着シート２０の使用法及びその効果についても密着シート１０と同様である。
【００１２】
図７に示す密着シート３０において、その構成の特徴は用途及び形状にあり、その他の構成は密着シート１０のそれと実質的に同一である。
そこで、密着シート３０の特徴を下記に説明するが、密着シート１０と共通する構成についての詳細な説明を省略する。
密着シート３０は紫外線透過不能な材質である紫外線反射シートであり、そのためにシート本体３１内部に紫外線反射層を備えている。密着シート３０の用途は図７の鎖線に示すように自動車の前側サイドのドアガラスＧ２の内側に取り付けて、車内に日光に含まれる紫外線が照射されるのを抑制する。
シート本体３１、吸着シート３２の第１吸着シート３２ａ及び第２吸着シート３２ｂ並びに吸着シート片３２ａ１，３２ａ２，３２ａ３，３２ａ４，３２ａ５，３２ａ６，３２ａ７，３２ａ８は、吸着シート１２の第１吸着シート１２ａ、第２吸着シート１２ｂ及び吸着シート片１２ａ１，１２ａ２，１２ａ３，１２ａ４，１２ａ５，１２ａ６，１２ａ７，１２ａ８にそれぞれ対応している。
密着シート３０の使用法は、この密着シートを自動車内に持ち込み、裏面の吸着シート３２をドアガラスＧ２の内側に対応させて、上記裏面をドアガラスの内面に押し付けると、吸着シート３２（第１吸着シート３２ａ及び第２吸着シート３２ｂ）はその吸盤層（図示せず。）が内面に接触されて凹部（図示せず。）を介して密着され、密着シートがドアガラスに保持される。
密着シート３０の効果についても密着シート１０と同様に安定した取り付け状態を維持でき、その着脱が容易である。
密着シート３０の使用時において、密着シート３０は極めて薄い構成であるので、経時的に吸着力は減衰される可能性があり、継続使用が長期間に亘る場合には、適宜期間を経過した後に、実験例によれば約３〜４ヶ月程度経過した後に新たなものと交換する必要がある。
【００１３】
図８及び図９に示す密着シート４０において、その特徴は裏面に結露防止用シート４５を固着してあるところにあり、その他の構成は密着シート１０のそれと実質的に同一である。
以下、密着シート４０の特徴を下記に説明するが、密着シート１０と共通する構成についての詳細な説明を省略する。
自動車のフロントガラスＧ１の結露発生を防止するために、密着シート４０の裏面に結露防止用シート４５を固着してある。結露防止用シート４５は、例えばビニールなどのプラスチックシートからなり、密着シート４０の裏面であって第１吸着シート４２ａによって囲まれている空間内に配置されている。図８〜図１０に示す例では、四角形の結露防止用シート４５が、第２吸着シート４２ｂの両側の一方（図８左方）では吸着シート片４２ａ１，４２ａ２，４２ａ３，４２ａ４，４２ａ５及び第２吸着シート４２ｂに囲まれた空間内に、また他方（右方）では吸着シート片４２ａ１，４２ａ５，４２ａ６，４２ａ７，４２ａ８及び第２吸着シート４２ｂに囲まれた空間内にそれぞれ位置されている。
各結露防止用シート４５は裏面の外周の全周にその縁に沿って帯状の吸着シート４６を両面接着テープなどの固着手段を用いて固着されている（図１０）。吸着シート４６は、図１０に示す例によれば、吸着シート片４６ａ１，４６ａ２，４６ａ３，４６ａ４からなり、これらの吸着片が各結露防止用シート４５の各辺にそれぞれ対応して配置されている。
吸着シート４６（吸着シート片４６ａ１，４６ａ２，４６ａ３，４６ａ４）は、上記吸着シート４２の第１吸着シート４２ａ（吸着シート片４２ａ１，４２ａ２，４２ａ３，４２ａ４，４２ａ５，４２ａ６，４２ａ７，４２ａ８）及び第２吸着シート４２ｂと同一構成である。
シート本体４１、吸着シート４２の第１吸着シート４２ａ及び第２吸着シート４２ｂ並びに吸着シート片４２ａ１，４２ａ２，４２ａ３，４２ａ４，４２ａ５，４２ａ６，４２ａ７，４２ａ８は、シート本体１１、第１吸着シート１２ａ及び第２吸着シート１２ｂ並びに吸着シート１２の吸着シート片１２ａ１，１２ａ２，１２ａ３，１２ａ４，１２ａ５，１２ａ６，１２ａ７，１２ａ８にそれぞれ相当している。
図９及び図１１図に示す結露防止用シート４５は内部に上方から下方に向けて等間隔に複数の仕切り壁４５ａを設けてあり、各仕切り壁４５ａは結露防止用シートの図１０左端部から右端部に達するものである。結露防止用シート４５の内部に各仕切り壁４５ａによって水平方向（図９紙面に垂直方向）に中空部４５ｂが形成されている。結露防止用シート４５は、その幅方向（図１１上下方向）に伸びる複数の中空部４５ｂによって断熱機能が高められる。
【００１４】
上記構成の密着シート４０を図９鎖線に示すフロントガラスＧ１の前面に吸着させるには、密着シート４０の結露防止用シート４５とフロントガラスＧ１とを対向させてから、まず、この結露防止用シートをフロントガラスの前面に接触させてから、この前面に向けて結露防止用シートの前面を押すと、結露防止用シートが吸着シート４６を介して吸着されると共に、フロントガラスの主要部分を被覆することになる。ついで密着シート４０の外周部の前面を図９矢印方向に押すと、吸着シート４２の第１吸着シート４２ａがフロントガラスの前面に接触し、やがて吸着され、引き続き密着シートの中央部分をその前面から押すと、吸着シート４２の第２吸着シート４２ｂがフロントガラスの前面に接触し、やがて吸着される。この結果、密着シート４０はフロントガラスＧ１の前面に第１及び第２の吸着シート４２ａ，４２ｂによって、そして結露防止用シート４５側の吸着シート４６によって吸着固定される。
図９に示す密着シート４０によれば、結露防止用シート４５がフロントガラスＧ１の前面の主要部を被覆するようにかつ接触して固着されるので、この前面における結露の発生を効果的に防止することができ、また吸着手段として、第１に第１及び第２の吸着シート４２ａ，４２ｂを用いて吸着し、第２に結露防止用シートの吸着シート４６を用いて吸着するので、フロントガラスに対する密着シートの吸着が強化され、強風などによって容易に剥がれ難い利点がある。
【００１５】
密着シート４０の吸着シート４２に囲まれる空間内に結露防止用シート４５を固着する他の例として、図８に示す密着シートは第２吸着シート４２ｂが貼り付けられているために、結露防止用シート４５を２枚用いているが、このような第２吸着シートが貼り付けられていない場合には、第１吸着シート４２ａによって囲まれている空間内に１枚の結露防止用シートを配置してフロントガラスＧ１のほぼ全面を覆うようにしても良い。
【００１６】
密着シート１０，２０，３０，４０は、雪や霜除けなどの本来機能の他に、紫外線防止又は結露防止機能を付加することができるが、これらの機能の他に、被着体、例えば自動車のフロントガラス、リヤ、住宅及び店舗などの玄関又は窓ガラスの目隠しとして利用することができる。目隠しとして利用する場合には、シート本体１１，２１，３１，４１の材質に不透明部材を用い、被着体に対応した形状に加工するなど目的に応じた構成が必要となる。
密着シート１０，２０，３０，４０に対する吸着シート１２，２２，３２，４２の固着位置は図示の例に限定されず、部分的に貼り付けても良い。図１に示す例で説明すれば、密着シート１０において、四隅の場所のみに吸着シート片１２ａ２，１２ａ４，１２ａ６，１２ａ８を貼り付けて４点固定をしたり、四辺に対応して吸着シート片１２ａ１，１２ａ３，１２ａ５，１２ａ７のみを貼り付けて４点保持をしたり、また図７に示す密着シート３０において、四隅の場所のみに吸着シート片３２ａ２，３２ａ４，３２ａ６，３２ａ８を貼り付けて４点保持をしたり、四辺に対応して吸着シート片３２ａ１，３２ａ３，３２ａ５，３２ａ７のみを貼り付けて４点固定をしても良い。もっとも、図示するように各密着シートの固着位置はその外周の全周であれば、密着シートの安定的保持が可能となり、そしてこの位置に吸着シートを貼り付けた上に、横断する位置であれば密着シートの保持の安定性がより一層向上する。
【図面の簡単な説明】
【００１７】
【図１】この発明に係る密着シートを示す正面図である。
【図２】この発明に係る密着シートを示す背面図である。
【図３】図１のＩＩＩ−ＩＩＩ線拡大断面図である。
【図４】図１のＩＶ−ＩＶ線拡大端面図である。
【図５】この発明に係る密着シートに使用する吸着シートを示す拡大斜視図である。
【図６】この発明に係る密着シートの他の形態を示す正面図である。
【図７】この発明に係る密着シートのさらに他の形態を示す背面図である。
【図８】この発明に係る密着シートのさらに他の形態を示す一部切欠正面図である。
【図９】図８のＩＸ−ＩＸ線拡大断面図である。
【図１０】この発明に係る密着シートにおける結露防止用シートを示す背面図である。
【図１１】図９に示す拡大下部分におけるＸＩ−ＸＩ線断面図である。
【符号の説明】
【００１８】
１０，２０，３０，４０                密着シート
１１，２１，３１，４１                シート本体
１２，２２，３２，４２，４６          吸着シート
１２ａ，２２ａ，３２ａ，４２ａ        第１吸着シート
１２ｂ，２２ｂ，３２ｂ，４２ｂ        第２吸着シート
１２１                                吸盤層
１２１ａ                              凹部
２１ａ                                線状材
４５                                  結露防止用シート
４５ａ                                仕切り壁
４５ｂ                                中空部
Ｇ１                                  フロントガラス（被着体）
Ｇ２                                  ドアガラス（被着体）
【図１】
2008189108.tif 000003
【図２】
2008189108.tif 000004
【図３】
2008189108.tif 000005
【図４】
2008189108.tif 000006
【図５】
2008189108.tif 000007
【図６】
2008189108.tif 000008
【図７】
2008189108.tif 000009
【図８】
2008189108.tif 000010
【図９】
2008189108.tif 000011
【図１０】
2008189108.tif 000012
【図１１】
2008189108.tif 000013